(57)【要約】【課題】ヘッドに対してパター軸（２）を３６０°回動可能にし、グリップをヘッドに対して３６０°の回動位置のうちいかなる所望の位置にも楽に調整でき、その位置に固定して使用するゴルフ用パターの提供を課題とする。【解決手段】本発明は、パター軸（２）の一端部にグリップ（１）を固定し、パター軸の他端部にはヘッド（３）が固定され、前記パター軸（２）はヘッドの水平上面から上方へ適度の角度をもって傾斜し、しかも前記ヘッドに対してパター軸（２）を３６０°回動可能にし、グリップをヘッドに対して３６０°の回動位置のうちいかなる所望の位置にも調整でき、その位置に固定して使用するゴルフ用パターである。【選択図】　　　　図２
2004057745.tif 000002
【特許請求の範囲】
【請求項１】
パター軸（２）の一端部にグリップ（１）を固定し、パター軸の他端部にはヘッド（３）が固定され、前記パター軸（２）はヘッドの水平上面から上方へ適度の角度をもって傾斜し、しかも前記ヘッドに対してパター軸（２）を３６０°回動可能にし、グリップをヘッドに対して３６０°の回動位置のうちいかなる所望の位置にも調整でき、その位置に固定して使用するゴルフ用パター。
【請求項２】
六角頭付き締めねじ（４）の中心穴（８）を通して中空パター軸（２）を回動自在に貫通させ、中空パター軸（２）の先端部からその中空部を通って大径頭付き挿入ピン（５）を挿入し、パター軸と挿入ピンとをノックピン（６）で一体的に固定し、挿入ピンが挿入されたパター軸の先端部を差し込み固定するための雌ねじ穴（７）をヘッド（３）に設け、その雌ねじ穴（７）にパター軸の先端部を差し込み、六角頭付き締めねじ（４）の雄ねじ部（４’）を雌ねじ穴（７）の雌ねじに螺合させ、パター軸に固定されたグリップ（１）を所望の回動角度位置に調整して後、六角頭付き締めねじ（４）をその雄ねじ部（４’）の先端当接部（４”）が挿入ピンの大径肩部（５’）に圧接するまで締めつけることによってパター軸をヘッドに固定してなる請求項１記載のゴルフ用パター。
【請求項３】
グリップは横断面が正三角形の形状を有してなる請求項２記載のゴルフ用パター。
【発明の詳細な説明】
【０００１】
【産業上の利用分野】
本発明はゴルフクラブのパターに関し、特に、ヘッドに対してパター軸（２）を３６０°回動可能にし、グリップをヘッドに対して３６０°の回動位置のうちいかなる所望の位置にも楽に調整でき、その位置に固定して使用するゴルフ用パターに関する。
【０００２】
【従来の技術】
従来のゴルフ用パターは、パター軸とヘッドが一体化されているので、ひと度パターを購入すれば、グリップのにぎり心地を最適化して打ち易くするために、時と場合によってはにぎりを変化させたい時もあるが、それは望みようもなかった。まして、グリップをヘッドに対して回動させることなど考えられなかった。そこで、本出願人はパター軸を、ひいてはパター軸に固定されたグリップをヘッドに対して３６０°回動可能にしてグリップのにぎり心地を最適化し、ボールを打ち易くするゴルフ用パターの特許出願を行ってきた（特願２００１−３５２３９０、特願２００１−３７３３９３、特願２００２−１３０９７３）。
それら特許出願におけるパター軸とヘッドとの回動調整の方法はそれぞれに特徴を持ったものであるが、本願では回動調整をよりやり易くし、パター軸とヘッドとの固定をより確実にする方法を開発した。
【０００３】
【発明が解決しようとする課題】
そこで、手の親指と他の４本の指とでグリップをにぎるのであるが、時と場合によってにぎりを変化させることによってグリップのにぎり心地を最適化するために、パター軸に対して回動自在な六角頭付き締めねじをヘッドに設けた雌ねじ穴と螺合関係におくことによってグリップをヘッドに対して３６０°の回動位置のうちいかなる所望の位置にも調整でき、その位置に固定して使用するパターを提供することを本発明の第１の課題とする。
特に、自分のボールを最も打ち易いにぎり位置にグリップをヘッドに対して固定する際、グリップを正三角形の形状にすることによってにぎり方向選定の選択幅を広げることのできるゴルフ用パターを提供することを本発明の第２の課題とする。
【０００４】
【課題を解決するための手段】
本発明は、パター軸（２）の一端部にグリップ（１）を固定し、パター軸の他端部にはヘッド（３）が固定され、前記パター軸（２）はヘッドの水平上面から上方へ適度の角度をもって傾斜し、しかも前記ヘッドに対してパター軸（２）を３６０°回動可能にし、グリップをヘッドに対して３６０°の回動位置のうちいかなる所望の位置にも調整でき、その位置に固定して使用するゴルフ用パターである。
【０００５】
【作用】
中空パター軸２を六角頭付き締めねじ４の中心穴８を通して回動自在に貫通させ、中空パター軸２と挿入ピンとは一体的に固定されているので、パター軸の先端部をヘッド３に設けた雌ねじ穴７に差し込み、六角頭付き締めねじ４の雄ねじ部４’を雌ねじ穴７の雌ねじに螺合させることができる。パター軸に固定されたグリップ１を所望の回動角度位置に調整して後、六角頭付き締めねじ４をその雄ねじ部４’の先端当接部４”が挿入ピンの大径肩部５’に圧接するまで締めつけることによってパター軸をヘッドにしっかりと固定することができる。
調整し直したい場合は、六角頭付き締めねじ４の六角頭をわずかにゆるめることによってパター軸がゆるみ、パター軸に固定されているグリップを自分が打ち易い所望の回動角度位置に楽に調整できる。その後、六角頭付き締めねじ４をしっかり締めつけることによってグリップをヘッドに対して方向づけ、パター軸をヘッドに対して固定することができる。プレー中はこの固定状態を保持する。
パター軸２の反対端部は、グリップ１のパター軸挿入穴に挿入固定されているので、グリップをパター軸とともにヘッドに対して回転移動させ、所望の角度に位置づけ、その後、締めねじを締めつけることによってパター軸をヘッドに固定することができる。
特に、横断面が正三角形の形状のグリップにした場合、自分のボールの打ち易い位置に固定する際、三角形はにぎり方向選定の選択幅を広げることができるので３６０°の回動位置の微調整が可能となる。
【０００６】
【実施例１】
図１に示すように、本発明のゴルフ用パターは、パター軸２の上端部に水平断面が正三角形の三平面グリップ１を備え、パター軸２の下端部はヘッド３に固定される。パター軸２の傾斜角は通常のパターと同じである。
特に、図２、３から分かるように、六角頭付き締めねじ４の中心穴８を通して中空パター軸２を回動自在に貫通させ、中空パター軸２の先端部からその中空部を通って大径頭付き挿入ピン５を挿入し、パター軸と挿入ピンとをノックピン６で一体的に固定する。
挿入ピンが挿入されたパター軸の先端部を差し込み固定するための雌ねじ穴７をヘッド３に設け、その雌ねじ穴７にパター軸の先端部を回動自在に差し込み、六角頭付き締めねじ４の雄ねじ部４’を雌ねじ穴７の雌ねじに螺合させる。
パター軸に固定された水平断面が正三角形のグリップ１を３６０°の回動位置のうち所望の回動角度位置に調整して後、六角頭付き締めねじ４をその雄ねじ部４’の先端当接部４”が挿入ピンの大径肩部５’に圧接するまで締めつけることによってパター軸をヘッドにしっかりと固定することができる。
ヘッド３はクラブの総体的バランスを作るために金属と合成樹脂で構成することは勿論である。
ここでは、水平断面が正三角形の三平面グリップ１を使用したが、本発明はこれに制限されるものではなく円形、楕円形など他のいかなる形のグリップをも使用することができる。
調整し直したい場合は、六角頭付き締めねじ４の六角頭をわずかにゆるめることによってパター軸がゆるみ、パター軸に固定されているグリップを自分が打ち易い所望の回動角度位置に楽に調整できる。その後、六角頭付き締めねじ４をしっかり締めつけることによってグリップをヘッドに対して方向づけ、パター軸をヘッドに対して固定することができるのである。
【０００７】
【効果】
上述のように、本発明は、六角頭付き締めねじ４の六角頭をわずかにゆるめるだけでパター軸がゆるみ、パター軸に固定されているグリップを自分が打ち易い所望の回動角度位置に楽に調整できる効果がある。その結果、にぎりを容易に変化させることができ、グリップのにぎり心地を最適化してボールをホールへいれ易くする効果がある。
特に、自分のボールを最も打ち易いにぎり位置にグリップをヘッドに対して固定する際、グリップを正三角形の形状にすることによってにぎり方向選定の選択幅を広げることができる効果がある。
【図面の簡単な説明】
【図１】本発明のゴルフ用パターの概略斜視図である。
【図２】本発明のパターの下方部分の断面図であって、パター軸の先端部とヘッドとの締めねじによる結合を示す。
【図３】図２の類似部分拡大断面図であって、パター軸の先端部をヘッドの雌ねじ穴に挿入しようとする状態を示す。
【符号の説明】
１　　　正三角形グリップ　　　　　　　　　２　　　パター軸
３　　　ヘッド　　　　　　　　　　　　　　４　　　六角頭付き締めねじ
５　　　パター軸先端挿入ピン　　　　　　　４’　　締めねじの雄ねじ部
５’　　挿入ピンの大径肩部　　　　　　　　４”　　雄ねじ部の先端当接部
７　　　ヘッドの雌ねじ穴　　　　　　　　　６　　　ノックピン
【図１】
2004057745.tif 000003
【図２】
2004057745.tif 000004
【図３】
2004057745.tif 000005